(57)【要約】【課題】通信機械室等における通信装置の配線作業の効率を高めることが可能な屋内配線方法とそれに用いる接続端子箱を提供する。【解決手段】接続端子箱１は、アース線６に接続されたシールド板５によって金属製の筐体７の内部が信号線接続ブロック２と光ケーブル接続ブロック３と電源線接続ブロック４の３つに区画されており、信号線接続ブロック２と光ケーブル接続ブロック３にはコネクタ端子台２ａ及び光コネクタ端子台３ａがそれぞれ設けられ、電源接続ブロック４にはネジ端子台４ａが設けられている。【選択図】図１
2017131089.tif 000002
【特許請求の範囲】
【請求項１】
多心ケーブルからなる信号線や電源線を介して中間配線盤や分電盤に通信装置を接続する際に用いられる接続端子箱であって、
前記通信装置に一端が接続された前記信号線の他端をコネクタ接続可能にコネクタ端子台が設けられるとともに前記中間配線盤に接続された信号線接続ブロックと、
前記通信装置に一端が接続された前記電源線の他端を接続可能にネジ端子台が設けられるとともに前記分電盤に接続された電源線接続ブロックと、
内部が複数の区画に仕切られた筐体と、を備え、
この筐体の前記区画のそれぞれに前記信号線接続ブロックと前記電源線接続ブロックが設けられたことを特徴とする接続端子箱。
【請求項２】
前記中間配線盤や前記分電盤を前記通信装置に接続する際に加え、前記信号線として光ケーブルを用いて光配線盤に前記通信装置を接続する際に用いられる接続端子箱であって、
前記通信装置に一端が接続された前記光ケーブルの他端をコネクタ接続可能に光コネクタ端子台が設けられるとともに前記光配線盤に接続される光ケーブル接続ブロックを備え、
この光ケーブル接続ブロックは、前記信号線接続ブロックや前記電源線接続ブロックが設けられていない前記区画内に設けられたことを特徴とする請求項１に記載の接続端子箱。
【請求項３】
前記信号線接続ブロックは、端子数の異なる複数のコネクタを接続可能に、ピン配列の異なる複数の接続部を有することを特徴とする請求項１又は請求項２に記載の接続端子箱。
【請求項４】
前記筐体は導電材料によって形成され、
前記区画は、前記筐体の内部がシールド板によって仕切られるようにして形成されたことを特徴とする請求項１乃至請求項３のいずれか１項に記載の接続端子箱。
【請求項５】
前記通信装置が所定の台数ずつ配置された複数のエリアに対して配線を行う方法であって、
請求項１乃至請求項４のいずれか１項に記載の接続端子箱を前記エリアごとに必要な本数の前記信号線及び前記電源線を予め接続した状態で設置することを特徴とする屋内配線方法。
【発明の詳細な説明】
【技術分野】
【０００１】
本発明は、屋内において各種装置の配線を行う方法とそれに用いる接続端子箱に係り、特に、通信機械室等における通信装置の配線作業の効率を高めることが可能な屋内配線方法とそれに用いる接続端子箱に関する。
【背景技術】
【０００２】
一般に、通信機械室に設置された通信装置や情報伝送装置等は、架上ラックやフリーフロアに敷設された多心ケーブルやコードを用いて配線盤や分電盤に接続される。そのため、これらの装置を交換する際には、中間配線盤等との間でその都度、ケーブルの張り替え作業を行う必要がある。
【０００３】
ここで、従来技術に係る通信装置の配線方法について図４を参照しながら説明する。  
図４（ａ）及び図４（ｂ）は通信装置の配線方法についての従来例を説明するための図であり、通信機械室における通信装置の一般的な配線状態を模式的に示したものである。ただし、図が煩雑になるのを避けるため、通信機械室に設けられた６つのエリアのうち、１つのエリアのみについて、光ケーブル及び電源線の配線状態と信号線の配線状態を図４（ａ）と図４（ｂ）に分けてそれぞれ示すとともに、一部の通信装置のみについて符号を付している。なお、以下の説明における「信号線」には「警報線」も含まれるものとする。
【０００４】
図４（ａ）及び図４（ｂ）に示すように、通信機械室５１に設けられた６つのエリアには、それぞれ複数の通信装置５２が設置されており、通信装置５２は分電盤５３に対し、１本又は複数本（２系統受電の場合）の多心ケーブルからなる電源線５４によって接続されるとともに、光配線盤５５に対しては１本又は複数本の光ケーブル５６によって接続されている。さらに、通信装置５２と中間配線盤５７は、１本又は複数本の多心ケーブルからなる信号線５８によって接続されている。
【０００５】
しかしながら、このような配線方法では、通信装置等の設置場所が中間配線盤や分電盤あるいは光配線盤等に近い場合、信号線等のケーブル数が多くなり、敷設や撤去に時間を要するという課題があった。一方、通信装置等の設置場所が中間配線盤等から遠い場合には、長いケーブルが必要となるため、資材や工事に要する費用が高くなるとともに、敷設や撤去等の作業に手間がかかるという課題もあった。
【０００６】
通信機械室における通信装置等の配線方法に対するものではないが、例えば、特許文献１には、「屋内配線方法」という名称で、マンション等において、設置される配線器具が異なる場合でも容易に対応することが可能な配線方法に関する発明が開示されている。
この発明は、分電盤からの電源ケーブルと、配線器具に接続される複数本の配線ケーブルとが引き込まれるゾーンプルボックスが屋内の各ゾーンごとに設けられ、このゾーンプルボックス内に収められた接続装置に電源ケーブルや配線ケーブルをコネクタ接続して電源ラインや各配線器具に分岐し、その接続装置を配線器具の種別や使用方法に応じた複数のブロックで構成し、このブロックを適宜入れ替え自在とすることを特徴としている。
このような方法によれば、部屋の間取りに応じて異なる配線器具が設置されている場合でも容易に配線を行うことができる。
【先行技術文献】
【特許文献】
【０００７】
【特許文献１】特許第２９２２６５４号公報
【発明の概要】
【発明が解決しようとする課題】
【０００８】
特許文献１に記載された発明は、マンション等における配線作業を想定したものであるため、通信機械室等における通信装置の配線作業には用いることができないという課題があった。
【０００９】
本発明はかかる従来の事情に対処してなされたものであって、通信機械室等における通信装置の配線作業の効率を高めることが可能な屋内配線方法とそれに用いる接続端子箱を提供することを目的とする。
【課題を解決するための手段】
【００１０】
上記目的を達成するため、第１の発明である接続端子箱は、多心ケーブルからなる信号線や電源線を介して中間配線盤や分電盤に通信装置を接続する際に用いられる接続端子箱であって、通信装置に一端が接続された信号線の他端をコネクタ接続可能にコネクタ端子台が設けられるとともに中間配線盤に接続された信号線接続ブロックと、通信装置に一端が接続された電源線の他端を接続可能にネジ端子台が設けられるとともに分電盤に接続された電源線接続ブロックと、内部が複数の区画に仕切られた筐体と、を備え、この筐体の区画のそれぞれに信号線接続ブロックと電源線接続ブロックが設けられたことを特徴とするものである。
【００１１】
このような構造の接続端子箱においては、信号線と電源線が接続される領域が互いに分離されているため、配線間違いという事故が起こり難いという作用を有する。また、信号線接続ブロックと電源線接続ブロックの各ブロック内において、信号線同士及び電源線同士が互いに分離した状態で接続されるため、通信装置ごとの配線作業が容易である。
【００１２】
また、第２の発明は、第１の発明において、中間配線盤や分電盤を通信装置に接続する際に加え、信号線として光ケーブルを用いて光配線盤に通信装置を接続する際に用いられる接続端子箱であって、通信装置に一端が接続された光ケーブルの他端をコネクタ接続可能に光コネクタ端子台が設けられるとともに光配線盤に接続される光ケーブル接続ブロックを備え、この光ケーブル接続ブロックは、信号線接続ブロックや電源線接続ブロックが設けられていない区画内に設けられたことを特徴とするものである。
【００１３】
このような構造の接続端子箱においては、第１の発明の作用に加え、光ケーブルが接続される領域が信号線と電源線が接続される領域と分離されているため、光ケーブルを接続する際にも配線間違いが起こり難いという作用を有する。
【００１４】
第３の発明は、第１の発明又は第２の発明において、信号線接続ブロックは、端子数の異なる複数のコネクタを接続可能に、ピン配列の異なる複数の接続部を有することを特徴とするものである。
このような構造の接続端子箱においては、第１の発明又は第２の発明の作用に加え、心数の異なる様々な多心ケーブルを接続できることから、通信装置ごとに適切な心数を有する多心ケーブルを信号線として用いることにより接続端子箱１台あたりに接続される信号線の本数が少なくなるという作用を有する。
【００１５】
第４の発明は、第１の発明乃至第３の発明のいずれかにおいて、筐体は導電材料によって形成され、区画は、筐体の内部がシールド板によって仕切られるようにして形成されたことを特徴とするものである。
このような構造の接続端子箱においては、第１の発明乃至第３の発明のいずれかの作用に加え、シールド板が信号線や光ケーブルに対する電源線からのノイズの影響を防ぐという作用を有する。
【００１６】
第５の発明は、通信装置が所定の台数ずつ配置された複数のエリアに対して配線を行う方法であって、第１の発明乃至第４の発明のいずれかに係る接続端子箱を当該エリアごとに必要な本数の信号線及び電源線を予め接続した状態で設置することを特徴とするものである。
このような配線方法においては、分電盤や光配線盤や中間配線盤に対する配線作業を行う際に、それらの設置場所にわざわざ赴く必要がない。また、中間配線盤等に接続される信号線等のケーブルが予め所定の本数ずつ各接続端子箱に振り分けられているため、通信装置の設置場所が中間配線盤や分電盤や光配線盤等に近い場合でも、信号線等のケーブル数が多くなるという事態は発生しない。逆に、通信装置等の設置場所が中間配線盤等から遠い場合でも長いケーブルが必要となることはない。
【発明の効果】
【００１７】
第１の発明を分電盤及び中間配線盤と通信装置との配線作業に用いた場合、当該作業を安全に効率良く行うことが可能である。
【００１８】
第２の発明は光配線盤と通信装置との配線作業に用いることが可能であり、この場合には、当該作業を安全に効率良く行うことができるという第１の発明の効果が同様に発揮される。
【００１９】
第３の発明によれば、第１の発明又は第２の発明の効果に加え、信号線の本数がいたずらに増えるおそれがないため、接続端子箱の設置スペースが節約されるとともに、信号線接続ブロックに対して配線を行う際の作業効率が高まるという効果を奏する。
【００２０】
第４の発明によれば、第１の発明乃至第３の発明のいずれかの効果に加え、信号線や光ケーブルが電源線からのノイズの影響を受け難く、それらのケーブル同士の間隔を大きくとる必要がないため、接続端子箱全体の小型化を図ることができるという効果を奏する。
【００２１】
第５の発明によれば、分電盤や光配線盤や中間配線盤と通信装置との配線状態の変更を手元で一括して行うことができるため、配線間違いが起こり難い。また、分電盤等が分散して配置されている場合でもそれらの設置場所に行って作業を行う必要がないため、配線作業の効率が格段に向上する。さらに、通信装置等の設置場所が中間配線盤や分電盤あるいは光配線盤等に近い場合でも信号線等のケーブル数が多くなって、その敷設や撤去に時間を要するという不具合が発生するおそれはない。また、通信装置等の設置場所が中間配線盤等から遠い場合でも長いケーブルが必要となることはないため、資材や工事に要する費用を安く抑えるとともに、敷設や撤去等を効率良く行うことができる。
【図面の簡単な説明】
【００２２】
【図１】（ａ）は本発明の実施の形態に係る接続端子箱の実施例の構成を示す模式図であり、（ｂ）は信号線接続部を拡大して示した外観図であり、（ｃ）及び（ｄ）は信号線のコネクタの外観図である。
【図２】図１に示した接続端子箱にケーブルを接続した状態を示した模式図である。
【図３】（ａ）及び（ｂ）は本発明の実施の形態に係る接続端子箱を用いた屋内配線方法の実施例を示した模式図である。
【図４】（ａ）及び（ｂ）は通信機械室における通信装置の一般的な配線状態を示した模式図である。
【発明を実施するための形態】
【００２３】
本発明の配線方法とそれに用いる接続端子箱について図１乃至図３を用いて説明する。なお、以下の説明では、通信機械室に設置された通信装置の配線方法を例に挙げているが、本発明は、これに限らず、屋内に設置された各種の装置に対して配線を行う必要がある場合に適用可能である。
【実施例】
【００２４】
図１（ａ）は本発明の接続端子箱の構成を模式的に示した図であり、図１（ｂ）は図１（ａ）の外観図であって特に信号線接続部を拡大して示したものである。また、図１（ｃ）及び図１（ｄ）は図１（ｂ）に示した信号線接続部に接続される信号線のコネクタの外観図である。さらに、図２は図１の接続端子箱にケーブルが接続された状態を模式的に示した図である。なお、図１（ｄ）では固定用ネジの図示を省略している。また、図４を用いて既に説明した構成要素については、同一の符号を付して、その説明を省略する。
【００２５】
図１（ａ）に示すように、接続端子箱１は、金属製の筐体７の内部がシールド板５によって信号線接続ブロック２と光ケーブル接続ブロック３と電源線接続ブロック４の３つに区画されている。そして、信号線接続ブロック２と光ケーブル接続ブロック３にはコネクタ端子台２ａ及び光コネクタ端子台３ａがそれぞれ設けられ、電源接続ブロック４にはネジ端子台４ａが設けられている。また、シールド板５はアース線６にそれぞれ接続されている。
【００２６】
図１（ｂ）〜図１（ｄ）に示すように、信号線接続ブロック２は、端子数の異なる２種類のコネクタ８ａ，８ｂ（図１（ｄ）参照）を介して心線の数が異なる信号線５８ａ，５８ｂを個別に接続可能となっている。なお、コネクタ８ａは心数が１０本以下のケーブルからなる信号線５８ａをコネクタ端子台２ａに接続する際に用いられるものであり、１０個の端子９ａの両側には固定用ネジ９ｂ，９ｂが設けられている。また、コネクタ８ｂは、接続される信号線５８ｂの心数に応じて、連結されるコネクタ８ａの数を調節できるように、１２個のコネクタ８ａが嵌め込み式に連結されて着脱可能な構造となっている。
【００２７】
コネクタ端子台２ａは、端子数の異なる複数のコネクタを個別に接続できるように、ピン配列の異なる複数の接続部を有している。したがって、例えば、図２に示すように、コネクタ端子台２ａには、コネクタ８ａ，８ｂに加えて、信号線５８ａ，５８ｂと心数の異なる信号線５８ｃに接続されたコネクタ８ｃも接続することができる。これにより、通信装置５２ａ〜５２ｃのコネクタ端子台５９ａ〜５９ｃと信号線接続ブロック２のコネクタ端子台２ａは信号線５８ａ〜５８ｃを介して接続される。なお、中間配線盤５７の端子台５７ａに接続された信号線５８はワイヤラッピング（先端の被覆を剥いだ部分を巻き付けるようにして電気的に接続する方法）によって信号線接続ブロック２のコネクタ端子台２ａに接続されている。
【００２８】
光コネクタ端子台３ａには、光配線盤５５の端子台５５ａに接続された光ケーブル５６及び通信装置５２ａ，５２ｂの光コネクタ端子台６０ａ，６０ｂに接続された光ケーブル５６ａ，５６ｂがそれぞれコネクタ接続されている。また、ネジ端子台４ａには、分電盤５３のネジ端子台５３ａに接続された電源線５４及び通信装置５２ａ〜５２ｃのネジ端子台６１ａ〜６１ｃに接続された電源線５４ａ〜５４ｃがそれぞれネジ留めにより接続されている。
すなわち、信号線接続ブロック２と光ケーブル接続ブロック３と電源線接続ブロック４は、信号線５８ａ〜５８ｃと光ケーブル５６ａ，５６ｂと電源線５４ａ〜５４ｃを通信装置５２ａ〜５２ｃごとにそれぞれ接続可能な構造となっている。
【００２９】
このような構造の接続端子箱１においては、信号線５８と光ケーブル５６と電源線５４が接続される領域が互いに分離されているため、配線間違いという事故が起こり難い。また、信号線接続ブロック２と光ケーブル接続ブロック３と電源線接続ブロック４の各ブロック内において、信号線５８同士と光ケーブル５６同士と電源線５４同士が互いに分離された状態で接続されるため、通信装置５２ごとの配線作業が容易である。
したがって、接続端子箱１を通信機械室等における通信装置５２の配線作業に用いた場合、分電盤５３や光配線盤５５や中間配線盤５７と通信装置５２との配線作業を安全に効率良く行うことが可能である。
【００３０】
さらに、接続端子箱１では、信号線接続ブロック２に対し、心数の異なる様々な多心ケーブルを接続可能となっている。そこで、通信装置５２ごとに適切な心数を有する多心ケーブルを信号線５８として用いると、接続端子箱１台あたりに接続される信号線の本数が少なくなる。このようにすれば、信号線５８の本数がいたずらに増えるおそれがないため、接続端子箱１の設置スペースが節約される。また、信号線接続ブロック２に対して配線を行う際の作業効率が高まる。
【００３１】
加えて、接続端子箱１においては、信号線５８や光ケーブル５６が電源線５４からのノイズの影響を受け難く、それらのケーブル同士の間隔を大きくとる必要がないため、小型化を図ることができる。
【００３２】
次に、接続端子箱１を用いた屋内配線方法について、通信機械室内において通信機械の配線を行う場合を例にとって図３を参照しながら説明する。
図３（ａ）及び図３（ｂ）は本発明に係る屋内配線方法によって通信機械室における通信装置の配線を行った状態を模式的に示したものである。ただし、図が煩雑になるのを避けるため、通信機械室に設けられた１０のエリアのうち、１つのエリアのみについて光ケーブル及び電源線の配線状態と信号線の配線状態を図３（ａ）と図３（ｂ）に分けてそれぞれ示すとともに、通信装置と電源線と光ケーブルと信号線については、その一部のみに符号を付している。
なお、図３（ａ）及び図３（ｂ）では、便宜上、接続端子箱１を識別し易い箇所に配置しているが、実際には接続端子箱１は床下に設置されている。また、図１と図２及び図４を用いて説明した構成要素については同一の符号を付して、その説明を省略する。
【００３３】
図３（ａ）及び図３（ｂ）に示すように、通信機械室５１には複数の通信装置５２（図３中での表記は通信装置５２ａ〜５２ｃ）が所定の台数ずつ１０のエリアにそれぞれ配置されており、通信装置５２に対して配線を行う必要があるエリアには、接続端子箱１がそれぞれ設置されている。
なお、各エリアに設置可能な通信装置５２の台数や種類は限られているため、分電盤５３や光配線盤５５や中間配線盤５７と通信装置５２を接続するために必要な電源線５４や光ケーブル５６や信号線５８の本数やそれらを構成する多心ケーブルの心数については想定することが可能である。そこで、本発明の屋内配線方法においては、電源線５４や光ケーブル５６や信号線５８の本数やそれらを構成する多心ケーブルの心数をエリアごとに想定し、それらのケーブルを予め接続した状態で上述の接続端子箱１を設置することを特徴とする。
【００３４】
このような方法によれば、電源線５４と光ケーブル５６と中間配線盤５７に接続される信号線５８が、エリアごとに設置された各接続端子箱１に対して予め所定の本数ずつ振り分けられているため、通信装置５２の設置場所が中間配線盤５７や分電盤５３や光配線盤５５の設置場所に近い場合でも、信号線５８等のケーブル数が多くなるという事態は発生しない。逆に、通信装置５２の設置場所が中間配線盤５７等の設置場所から遠い場合でも長いケーブルが必要となることはない。したがって、資材や工事に要する費用を安く抑えるとともに、敷設や撤去等の作業の効率化を図ることができる。
【００３５】
さらに、分電盤５３や光配線盤５５や中間配線盤５７に対して既に接続されている古い通信装置５２を新しい通信装置５２と交換する場合、古い通信装置５２に接続された電源線５４ａ〜５４ｃや光ケーブル５６ａ，５６ｂや信号線５８ａ〜５８ｃ等を接続端子箱１から取り外すだけで良い。また、分電盤５３や光配線盤５５や中間配線盤５７に接続された電源線５４や光ケーブル５６や信号線５８については接続端子箱１から取り外す必要がない。
なお、撤去しようとしている古い通信装置５２と、新しい通信装置５２の種類が同じ場合には、接続端子箱１に接続されている電源線５４ａ〜５４ｃや光ケーブル５６ａ，５６ｂや信号線５８ａ〜５８ｃを古い通信装置５２から取り外して、新しい通信装置５２に接続し直すだけで良い。
また、通信装置５２を新たに追加する場合には、接続端子箱１に対して電源線５４ａ〜５４ｃや光ケーブル５６ａ，５６ｂや信号線５８ａ〜５８ｃ等を接続するだけで良い。
【００３６】
すなわち、本発明の屋内配線方法によれば、エリアごとに設置された接続端子箱１に対して電源線５４ａ〜５４ｃや光ケーブル５６ａ，５６ｂや信号線５８ａ〜５８ｃ等の差し替えを行うだけで通信装置５２の交換や追加ができるため、異なるエリアに設置された分電盤５３や光配線盤５５や中間配線盤５７に対して電源線５４や光ケーブル５６や信号線５８の差し替えを行わなければならない従来の方法に比べて、格段に作業効率を向上させることができる。また、分電盤５３や光配線盤５５や中間配線盤５７に対する配線作業を手元で一括して行うことができるため、配線間違い等の事故が起こり難い。
【００３７】
なお、通信機械室５１に設置される通信装置５２や分電盤５３や光配線盤５５や中間配線盤５７の数及びエリアの数は本実施例に示した場合に限定されない。また、接続端子箱１に設置される電源線５４や光ケーブル５６や信号線５８の本数やコネクタ８ａ〜８ｃの端子数についても本実施例に示した場合に限定されるものではなく、適宜変更可能である。さらに、接続端子箱１は信号線接続ブロック２と光ケーブル接続ブロック３と電源線接続ブロック４の全てを備えている必要はなく、用途に応じて、それらのうちの少なくとも２つを備えた構成とすることもできる。
【産業上の利用可能性】
【００３８】
本発明は、屋内において各種装置の配線を行う際に利用可能である。
【符号の説明】
【００３９】
１…接続端子箱  ２…信号線接続ブロック  ２ａ…コネクタ端子台  ３…光ケーブル接続ブロック  ３ａ…光コネクタ端子台  ４…電源線接続ブロック    ４ａ…ネジ端子台  ５…シールド板  ６…アース線  ７…筐体  ８ａ〜８ｃ…コネクタ  ９ａ…端子  ９ｂ…固定用ネジ  ５１…通信機械室  ５２…通信装置  ５２ａ〜５２ｃ…通信装置  ５３…分電盤  ５３ａ…ネジ端子台  ５４…電源線  ５４ａ〜５４ｃ…電源線  ５５…光配線盤  ５５ａ…端子台  ５６…光ケーブル  ５６ａ，５６ｂ…光ケーブル  ５７…中間配線盤  ５７ａ…端子台  ５８…信号線  ５８ａ〜５８ｃ…信号線  ５９ａ〜５９ｃ…コネクタ端子台  ６０ａ，６０ｂ…光コネクタ端子台  ６１ａ〜６１ｃ…ネジ端子台    
【図１】
2017131089.tif 000003
【図２】
2017131089.tif 000004
【図３】
2017131089.tif 000005
【図４】
2017131089.tif 000006